(57)【要約】【課題】利便的で快適なテレビ受像システムを提供することを目的とする。【解決手段】操作パネル１８によってお湯張りが指示された場合に、浴室用テレビ受像機２４にスタンバイ指示を行うと共に、浴室用人感センサ２６によって人を感知したら浴室用テレビ受像機２４の電源オン指示をコントロールユニット１２によって行う。また、シャワー／蛇口切替検出センサ３０及び流量センサ３２によって浴室の設備機器の使用状態を判断して、シャワーや水道使用時に音量増加指示を浴室用テレビ受像機２４に対してコントロールユニット１２が行う。【選択図】図１
2010206372.tif 000002
【特許請求の範囲】
【請求項１】
浴室に設けられ、テレビ映像及び音声を出力する浴室用テレビ受像機と、
浴室環境を検出する浴室環境検出手段と、
前記浴室環境検出手段によって検出された前記浴室環境と、予め定められた環境と、が一致する場合に、予め定めたれた環境に対応して予め定めた動作となるように、前記浴室用テレビ受像機の動作を制御する制御手段と、
を備えたテレビ受像システム。
【請求項２】
前記制御手段は、前記浴室環境検出手段によって前記浴室用テレビ受像機の音量を上げる必要がある予め定めた前記浴室環境が検出された場合に、音量を増加するように前記浴室用テレビ受像機の動作を制御し、前記浴室環境検出手段によって前記浴室用テレビ受像機の音量を上げる必要がある予め定めた前記浴室環境が検出されなくなった場合に、音量を低下するように前記浴室用テレビ受像機の動作を制御する請求項１に記載のテレビ受像システム。
【請求項３】
前記浴室環境検出手段は、浴室に設けられた設備機器の状態を検出する設備機器検出手段の検出結果を前記浴室環境として検出する請求項１又は請求項２に記載のテレビ受像システム。
【請求項４】
前記浴室環境検出手段は、人の動作を検出する動作検出手段の検出結果を前記浴室環境として検出する請求項１又は請求項２に記載のテレビ受像システム。
【請求項５】
前記浴室環境検出手段は、浴室で使用している水の流量を検出する流量検出手段の検出結果を前記浴室環境として検出し、前記制御手段が、前記流量検出手段によって検出した流量に応じて音量を増減するように前記浴室用テレビ受像機の動作を制御する請求項１に記載のテレビ受像システム。
【請求項６】
前記設備機器検出手段は、シャワーと水道の切替を検出する切替検出手段と、水の使用を検出する使用検出手段と、を含み、前記切替検出手段及び前記使用検出手段の検出結果に基づいて、シャワーまたは水道を使用していることを検出する請求項３に記載のテレビ受像システム。
【請求項７】
浴室及び脱衣所の少なくとも一方の浴室エリアの人を感知する浴室用人感手段を更に備え、
前記制御手段が、前記浴室用人感手段によって人を感知した場合に、前記浴室用テレビ受像機の電源をオンするように、前記浴室用テレビ受像機の動作を更に制御する請求項１〜６の何れか１項に記載のテレビ受像システム。
【請求項８】
浴槽へのお湯張りを指示する指示手段と、浴室及び脱衣所の少なくとも一方の浴室エリアの人を感知する浴室用人感手段と、を更に備え、
前記制御手段が、前記指示手段によって浴槽へのお湯張りが指示された場合に、前記浴室用テレビ受像機がスタンバイ状態となるように制御し、前記浴室用人感手段によって人を感知した場合に、前記浴室用テレビ受像機の電源をオンするように前記浴室用テレビ受像機の動作を更に制御する請求項１〜６に記載のテレビ受像システム。
【請求項９】
前記浴室用テレビ受像機とは別の居室に設けられ、テレビ映像及び音声を出力する居室用テレビ受像機と、前記居室の人を感知する居室用人感手段と、を更に備え、
前記制御手段が、前記浴室用人感手段及び前記居室用人感手段の感知結果に基づいて、人の移動先のテレビ受像機の電源をオンして、人の移動元のテレビ受像機の電源をオフするように前記浴室用テレビ受像機及び前記居室用テレビ受像機の動作を制御する請求項７又は請求項８に記載のテレビ受像システム。
【請求項１０】
前記制御手段は、前記移動先のテレビ受像機の電源をオンする際に、前記移動元のテレビ受像機の現在の現在のチャンネル及び音量設定の少なくとも一方の設定を取得し、取得したチャンネル及び音量設定の少なくとも一方の設定で前記移動先のテレビ受像機の電源をオンするように、前記浴室用テレビ受像機及び前記居室用テレビ受像機の動作を制御する請求項９に記載のテレビ受像システム。
【請求項１１】
シャワー及び浴槽の温度を検出する温度検出手段を更に備え、
前記制御手段が、前記温度検出手段によって所定温度以上の場合に、警告するように前記浴室用テレビ受像機の動作を更に制御する請求項１〜１０に記載のテレビ受像システム。
【発明の詳細な説明】
【技術分野】
【０００１】
本発明は、テレビ受像受像システムにかかり、特に、浴室で使用するテレビ受像機を含むテレビ受像システムに関する。
【背景技術】
【０００２】
テレビ受像機が設置された環境によっては、騒音により音声が聞き取り難い場合には、リモコンや本体のスイッチ等を操作することによって音量を調整するのが一般的である。
【０００３】
しかしながら、騒音の状態が頻繁に変化するような環境では、騒音の状態の変化に合わせて音量調整を頻繁に行う必要があるため操作が煩わしい。
【０００４】
そこで、特許文献１に記載の技術では、マイクロホンによって集音した音と、予め記憶されたデータとを比較して、適切な音量レベルに調整することによって、室内環境に応じた音量調整を行うことが提案されている。また、特許文献１に記載の技術では、昼間と夜間とでは室内の暗騒音レベルが変化するので、昼間と夜間とで音量レベルを調整することが提案されている。
【先行技術文献】
【特許文献】
【０００５】
【特許文献１】特開平１１−２３９３１０号公報
【発明の概要】
【発明が解決しようとする課題】
【０００６】
しかしながら、特許文献１に記載の技術では、マイクロホンによって音を検出し、検出した音に応じて音量調整を行うので利便的であるが、音だけで環境を判断しているので、テレビ受像機から出力されている音と雑音との判断が難しいので、改善の余地がある。
【０００７】
本発明は、上記事実を考慮して成されたもので、利便的で快適なテレビ受像システムを提供することを目的とする。
【課題を解決するための手段】
【０００８】
上記目的を達成するために請求項１に記載の発明は、浴室に設けられ、テレビ映像及び音声を出力する浴室用テレビ受像機と、浴室環境を検出する浴室環境検出手段と、前記浴室環境検出手段によって検出された前記浴室環境と、予め定められた環境と、が一致する場合に、予め定めたれた環境に対応して予め定めた動作となるように、前記浴室用テレビ受像機の動作を制御する制御手段と、を備えることを特徴とする。
【０００９】
請求項１に記載の発明によれば、浴室用テレビ受像機は、浴室に設けられ、テレビ映像及び音声が出力される。
【００１０】
浴室環境検出手段では、浴室環境が検出され、制御手段では、浴室環境検出手段によって検出された浴室環境と、予め定めた環境と、が一致する場合に、予め定めた環境に対応して予め定めた動作となるように、浴室用テレビ受像機の動作が制御される。
【００１１】
このように、浴室環境に応じて浴室用テレビ受像機の動作が制御されるので、浴室用テレビ受像機からの音と騒音とを区別することなく、シャワーや水道を使用している環境などの場合に、音量を増加させることが可能となり、利便的で快適なテレビ受像システムを提供することができる。
【００１２】
例えば、制御手段が、請求項２に記載の発明のように、浴室環境検出手段によって浴室テレビ受像機の音量を上げる必要がある予め定めた浴室環境が検出された場合に、音量を増加するように浴室用テレビ受像機の動作を制御し、浴室環境検出手段によって浴室用テレビ受像機の音量を上げる必要がある予め定めた浴室環境が検出されなくなった場合に、音量を低下するように浴室用テレビ受像機の動作を制御することによって、シャワーや水道使用時に自動的に音量を増加させることができ利便的で快適なテレビ受像システムを提供することができる。
【００１３】
なお、浴室環境検出手段は、請求項３に記載の発明のように、浴室に設けられた設備機器の状態を検出する設備機器検出手段の検出結果を浴室環境として検出するようにしてもよい。この場合には、悦微機器検出手段としては、例えば、請求項６に記載の発明のように、シャワーと水道の切替を検出する切替検出手段と、水の使用を検出する使用検出手段と、を含み、切替検出手段及び使用検出手段の検出結果に基づいて、シャワーまたは水道を使用していることを検出するようにしてもよい。
【００１４】
また、浴室環境検出手段は、請求項４に記載の発明のように、人の動作を検出する動作検出手段の検出結果を浴室環境として検出するようにしてもよい。この場合には、動作検出手段としては、例えば、カメラ等によって浴室の人の動作を検出することができる。
【００１５】
また、浴室環境検出手段及び制御手段は、請求項５に記載の発明のように、浴室環境検出手段は、浴室で使用している水の流量を検出する流量検出手段の検出結果を浴室環境として検出し、制御手段が、流量検出手段によって検出した流量に応じて音量を増減するように浴室用テレビ受像機の動作を制御するようにしてもよい。これによって、シャワーや水道で使用してる水やお湯の量に応じて、音量を制御することができるので、利便的で快適なテレビ受像システムを提供することができる。
【００１６】
また、請求項７に記載の発明のように、浴室及び脱衣所の少なくとも一方の浴室エリアの人を感知する浴室用人感手段を更に備え、制御手段が、浴室用人感手段によって人を感知した場合に、浴室用テレビ受像機の電源をオンするように、浴室用テレビ受像機の動作を更に制御するようにしてもよいし、請求項８に記載の発明のように、浴槽へのお湯張りを指示する指示手段と、浴室及び脱衣所の少なくとも一方の浴室エリアの人を感知する浴室用人感手段と、を更に備え、制御手段が、指示手段によって浴槽へのお湯張りが指示された場合に、浴室用テレビ受像機がスタンバイ状態となるように制御し、浴室用人感手段によって人を感知した場合に、浴室用テレビ受像機の電源をオンするように浴室用テレビ受像機の動作を更に制御するようにしてもよい。これによって自動的に浴室用テレビ受像機の電源をオンすることができ利便的となる。また、この場合、請求項９に記載の発明のように、浴室用テレビ受像機とは別の居室に設けられ、テレビ映像及び音声を出力する居室用テレビ受像機と、居室の人を感知する居室用人感手段と、を更に備え、制御手段が、浴室用人感手段及び居室用人感手段の感知結果に基づいて、人の移動先のテレビ受像機の電源をオンして、人の移動元のテレビ受像機の電源をオフするように浴室用テレビ受像機及び居室用テレビ受像機の動作を制御するようにしてもよい。これによって、居室から浴室、または浴室から居室へ移動のように、人の移動に伴って自動的に各場所のテレビ受像機の電源がオンオフされて音の発生箇所が変化されるので、さらに利便的となる。さらに、このとき、請求項１０に記載の発明のように、制御手段が、移動先のテレビ受像機の電源をオンする際に、移動元のテレビ受像機の現在の現在のチャンネル及び音量設定の少なくとも一方の設定を取得し、取得したチャンネル及び音量設定の少なくとも一方の設定で移動先のテレビ受像機の電源をオンするように、浴室用テレビ受像機及び居室用テレビ受像機の動作を制御するようにしてもよい。これによって、居室や浴室で観ていた番組や音量を調整することなく、移動先でも同じ設定で観ることができるので、さらに利便的となる。
【００１７】
なお、請求項１１に記載の発明のように、シャワー及び浴槽の温度を検出する温度検出手段を更に備え、制御手段が、温度検出手段によって所定温度以上の場合に、警告するように浴室用テレビ受像機の動作を更に制御するようにしてもよい。これによって、必要な警告が行われるので、安全なテレビ受像システムを提供することができる。
【発明の効果】
【００１８】
以上説明したように本発明によれば、浴室環境に応じて浴室用テレビ受像機の動作が制御されるので、シャワーや水道を使用している環境なでの場合に、音量を増加させることが可能となり、利便的なテレビ受像システムを提供することができる、という効果がある。
【図面の簡単な説明】
【００１９】
【図１】本発明の実施の形態に係わるテレビ受像システムの概略構成を示すブロック図である。
【図２】本発明の実施の形態に係わる居室用テレビ受像機及び浴室用テレビ受像機の構成を示すブロック図である。
【図３】本発明の実施の形態に係わるテレビ受像システムのコントロールユニットの構成を示すブロック図である。
【図４】本発明の実施の形態に係わるテレビ受像システムのコントロールユニットで行われる処理の流れの一例を示すフローチャートである。
【図５】監視処理の流れの一例を示すフローチャートである。
【図６】浴室退出処理の流れの一例を示すフローチャートである。
【図７】本発明の実施の形態に係わるテレビ受像システムの居室用テレビ受像機の制御部で行われる処理の流れの一例を示すフローチャートである。
【図８】本発明の実施の形態に係わるテレビ受像システムの浴室用テレビ受像機の制御部で行われる処理の流れの一例を示すフローチャートである。
【発明を実施するための形態】
【００２０】
以下、図面を参照して本発明の実施の形態の一例を詳細に説明する。図１は、本発明の実施の形態に係わるテレビ受像システムの概略構成を示すブロック図である。
【００２１】
本発明の実施の形態に係わるテレビ受像システム１０は、テレビ受像システム１０全体を制御するためのコントロールユニット１２を備えており、コントロールユニット１２は、ネットワーク等の通信回線１４に接続されている。
【００２２】
通信回線１４には、浴室給水排水器１６、操作パネル１８、居室用人感センサ２０、居室用テレビ受像機２２、浴室用テレビ受像機２４、浴室人感センサ２６、脱衣所用人感センサ２８、シャワ／蛇口切替検出センサ３０、流量センサ３２、及び換気扇３４が接続されている。
【００２３】
浴室給水排水器１６は、浴槽にお湯を給水したり、浴槽の水を排出し、これら給水や排水は、操作パネル１８の操作指示によって行うことができる。また、操作パネル１８は、給水する温度等の設定操作等も可能とされている。
【００２４】
居室用人感センサ２０は、居室に人が居るか否かを検出して、検出結果を通信回線１４を介してコントロールユニット１２へ出力する。
【００２５】
居室用テレビ受像機２２は、居室に設置され、放送用電波や放送用データ等に基づいて、テレビ映像及び音声を出力する。
【００２６】
浴室用テレビ受像機２４は、防水機能を有して浴室に設置され、放送用電波や放送用データ等に基づいて、テレビ映像及び音声を出力する。
【００２７】
浴室用人感センサ２６は、浴室に人が居るか否かを検出して、検出結果を通信回線１４を介してコントロールユニット１２へ出力する。
【００２８】
脱衣所用人感センサ２８は、脱衣所に人が居るか否かを検出して、検出結果を通信回線１４を介してコントロールユニット１２へ出力する。
【００２９】
シャワー／蛇口切替検出センサ３０は、シャワーと蛇口の切替を行う切替レバー等の位置を検出することによってシャワー使用か水道使用かを検出し、検出結果を通信回線１４を介してコントロールユニット１２へ出力する。
【００３０】
流量センサ３２は、シャワーや蛇口から排出される水やお湯の量を検出し、検出結果を通信回線１４を介してコントロールユニット１２へ出力する。なお、流量センサ３２の代りに、蛇口の水量を調節するノブの回転量を検出するロータリーエンコーダー等を適用するようにしてもよい。
【００３１】
換気扇３４は、浴室に設けられており、図示しないスイッチによって換気扇３４の動作が指示された場合に浴室の換気を行う。また、換気扇３４は、コントロールユニット１２からの指示によっても動作が制御される。
【００３２】
続いて、居室用テレビ受像機２２、浴室用テレビ受像機２４、及びコントロールユニット１２の各構成について説明する。
【００３３】
まず、居室用テレビ受像機２２及び浴室用テレビ受像機２４の構成について説明する。図２は、本発明の実施の形態に係わる居室用テレビ受像機２２及び浴室用テレビ受像機２４の構成を示すブロック図である。
【００３４】
居室用テレビ受像機２２及び浴室用テレビ受像機２４は、受信回路４０を備えており、受信回路４０は、アンテナ等によって放送用電波を受信したり、ケーブル等を介して放送用データ等を受信する。
【００３５】
受信回路４０によって受信された放送用電波や放送用データは、選局回路４２によって番組が選局される。選局回路４２による番組の選局は、選局回路４２に接続された制御部４４によって行われるが、制御部４４は、操作部４６によって操作されてチャンネル、または通信回線１４に接続された通信部１４８を介して得られるチャンネルに対応する番組を選局するように選局回路４２へ指示を送る。
【００３６】
操作部４６は、例えば、チャンネル変更ボタン等を有し、ユーザによってチャンネルの変更操作が行われる。
【００３７】
通信部４８は、通信回線１４に接続されており、コントロールユニット１２からチャンネルの変更指示が行われると、対応するチャンネルに変更するように制御部４４を介して選局回路４２へチャンネルの変更指示が行われる。
【００３８】
また、選局回路４２によって番組が選局されると、映像回路５０を介してディスプレイ５２に映像が表示されると共に、音声回路５４を介してスピーカ５６から音声が出力される。
【００３９】
さらに、制御部４４は、通信回線１４及び通信部４８を介して、現在のチャンネル及び音量設定の取得要求があった場合には、選局回路４２から選局中のチャンネルを取得すると共に、音声回路５４から現在設定されている音量を取得し、取得したチャンネル及び音量設定を要求先に送信するようになっている。
【００４０】
図３は、本発明の実施の形態に係わるテレビ受像システム１０のコントロールユニット１２の構成を示すブロック図である。
【００４１】
コントロールユニット１２は、ＣＰＵ１２Ａ、ＲＡＭ１２Ｂ、ＲＯＭ１２Ｃ、及びＩ／Ｏ１２Ｄがバス１２Ｅに接続されたマイクロコンピュータとされており、Ｉ／Ｏ１２Ｄには通信回線１４が接続されていると共に、操作部５８が接続されている。操作部５８は、入浴時に居室用テレビ受像機２２の選局中の番組を浴室で観る等の設定を行うためのものであり、操作パネル１８に当該機能を備えるようにしてもよい。
【００４２】
ＲＯＭ１２Ｃには、居室用テレビ受像機２２や浴室用テレビ受像機２４を制御するためのプログラムが記憶されており、ＣＰＵ１２Ａの制御によってＲＯＭ１２Ｃに記憶されたプログラムをＲＡＭ１２Ｂに展開することによってプログラムを実行する。
【００４３】
ＲＯＭ１２Ｃに記憶されたプログラムを実行することにより、本実施の形態では、居室用テレビ受像機２２で選局中のチャンネル及び音量設定を浴室用テレビ受像機２４に設定したり、居室から浴室、或いは浴室から居室へ移動した場合に、人の移動に伴って各テレビ受像機の電源のオンオフを制御したり、浴室の環境（例えば、シャワーや水道使用等）変化に応じて、浴室用テレビ受像機２４の音量を自動的に調整したりする処理を実行するようになっている。
【００４４】
続いて、上述のように構成されたテレビ受像システム１０のコントロールユニット１２、居室用テレビ受像機２２、及び浴室用テレビ受像機２４の各部で行われる動作について説明する。
【００４５】
まず、コントロールユニット１２で行われる処理の流れについて説明する。図４は、本発明の実施の形態に係わるテレビ受像システム１０のコントロールユニット１２で行われる処理の流れの一例を示すフローチャートである。
【００４６】
まず、ステップ１００では、お湯張り指示が行われたか否か判定される。該判定は、操作パネル１８のユーザ操作によってお湯張り指示が行われたか否かを通信回線１４を介して情報を取得して判定し、該判定が肯定されるまで待機してステップ１０２へ移行する。
【００４７】
ステップ１０２では、浴室用テレビ受像機２４に対して通信回線１４を介してスタンバイ指示が出力されステップ１０４へ移行する。
【００４８】
ステップ１０４では、居室用テレビ受像機２２のチャンネル及び音量設定が通信回線１４を介して取得されてステップ１０６へ移行する。
【００４９】
ステップ１０６では、浴室に人が入室したか否か判定される。該判定は、浴室用人感センサ２６によって人の存在を検出したか否かを判定し、該判定が否定された場合には肯定されるまで待機してステップ１０８へ移行する。
【００５０】
ステップ１０８では、浴室用テレビ受像機２４の電源オン指示が通信回線１４を介して浴室用テレビ受像機２４に出力されてステップ１１０へ移行する。なお、本実施の形態では、浴室用人感センサ２６によって人を検出して浴室に入室した場合に、浴室用テレビ受像機２４の電源オン指示を行うようにしたが、脱衣所用人感センサ２８によって人を検出して脱衣所に入室した場合に、浴室用テレビ受像機２４の電源オン指示を行うようにしてもよい。
【００５１】
ステップ１１０では、ステップ１０４で取得した居室用テレビ受像機２２のチャンネル及び音量設定が浴室用テレビ受像機２４に出力されてステップ１１２へ移行する。これによって後述する浴室用テレビ受像機２４における処理で浴室用テレビ受像機２４のチャンネル及び音量が居室用テレビ受像機２２のチャンネル及び音量と同じに設定される。
【００５２】
ステップ１１２では、居室から退出したか否か判定される。該判定は、居室用人感センサ２０によって人の存在が検出されなくなったか否かを判定し、該判定が肯定された場合にはステップ１１４へ移行し、否定された場合にはステップ１１６へ移行する。
【００５３】
ステップ１１４では、電源オフ指示が居室用テレビ受像機２２に出力されてステップ１１６へ移行する。
【００５４】
ステップ１１６では、シャワー又は水道使用後に使用が停止されたか否かが判定される。該判定は、後述のステップ１２０の判定が既に肯定されてシャワーや水道が使用された後に停止されたか否かを流量センサ３２の検出結果に基づいて判定し、該判定が肯定された場合にはステップ１１８へ移行し、否定された場合にはステップ１２０へ移行する。
【００５５】
ステップ１１８では、浴室用テレビ受像機２４に対して増加した分の音量を低下する指示が通信回線１４を介して行われてステップ１２４へ移行する。すなわち、後述のステップ１２２で既に行った音量増加指示で増加した分を低下する指示を行う。
【００５６】
一方、ステップ１２０では、シャワー又は水道が使用されているか否か判定される。該判定は、流量センサ３２の検出結果に基づいて判定し、該判定が肯定された場合にはステップ１２２へ移行し、否定された場合にはステップ１２４へ移行する。
【００５７】
ステップ１２２では、浴室用テレビ受像機２４に対して使用している設備機器（シャワーや水道）に応じた音量増加指示が通信回線１４を介して行われてステップ１２４へ移行する。例えば、水道使用時よりシャワー使用時の方が浴室用テレビ受像機２４の音が聞き難いので、シャワー使用か水道使用かをシャワー／蛇口切替検出センサ３０の検出結果に基づいて判定して、水道使用の場合には所定量音量増加指示を行い、シャワー使用の場合には水道使用の場合よりも音量増加量が多い音量増加指示を行う。
【００５８】
ステップ１２４では、監視処理が行われてステップ１２６へ移行する。ここで、監視処理について図５のフローチャートを参照して説明する。図５は、監視処理の流れの一例を示すフローチャートである。
【００５９】
監視処理へ移行するとステップ２００では、シャワー温度または浴室温度が所定値以上が否か判定される。該判定は、操作パネル１８や図示しない温度調整ダイヤル等を監視することによって行われ、該判定が肯定された場合にはステップ２０２へ移行し、否定された場外には監視処理を終了して図４のステップ１２６へ移行する。
【００６０】
ステップ２０２では、浴室用テレビ受像機２４に対して通信回線１４を介して予め定めた警告メッセージ（例えば、「温度が高い状態が一定時間以上になりますが大丈夫ですか？」等のメッセージ）が送信されてステップ２０４へ移行する。
【００６１】
ステップ２０４では、応答があるか否か判定される。該判定は、操作部４６や浴室用テレビ受像機２４に対して操作が行われたか否かを判定したり、マイクがある場合には「はい」等の音声が発せられたか否か等を判定し、該判定が否定された場合にはステップ２０６へ移行し、肯定された場合には監視処理を終了して図４のステップ１２６へ移行する。
【００６２】
ステップ２０６では、換気扇３４が作動されて監視処理を終了して図４のステップ１２６へ移行する。これによって、入浴者の健康を考慮して監視し、警告を行うことができる。なお、このとき、換気扇３４の作動と共に、浴室用テレビ受像機２４や居室用テレビ受像機２２から警報を行うように制御するようにしてもよい。また、換気扇３４の代り、または換気扇３４の動作と同時に、浴室給水排水器１６を制御して冷水をかけるように制御するようにしてもよい。
【００６３】
図４のステップ１２６へ移行すると、浴室を退室したか否か判定される。該判定は、浴室用人感センサ２６によって人が居なくなったことが検出されたか否かを判定し、該判定が否定された場合にはステップ１１６に戻って上述の処理が繰り返され、判定が肯定されたところでステップ１２８へ移行する。
【００６４】
ステップ１２８では、浴室退室処理が行われて一連の処理を終了する。ここで、浴室退出処理について図６のフローチャートを参照して説明する。図６は、浴室退出処理の流れの一例を示すフローチャートである。
【００６５】
浴室退室処理へ移行すると、ステップ３００では、居室に入室中か否か判定される。該判定は、居室用人感センサ２０の検出結果に基づいて判定され、居室に既に人が居るか否かを判定、すなわち、入浴中の人の他に居室に人が居るか否かを判定し、該判定が否定された場合にはステップ３０２へ移行し、肯定された場合にはステップ３１４へ移行する。
【００６６】
ステップ３０２では、浴室用テレビ受像機２４のチャンネル及び音量設定が通信回線１４を介して取得されてステップ３０４へ移行する。
【００６７】
ステップ３０４では、浴室用テレビ受像機２４の電源オフ指示が通信回線を介して浴室用テレビ受像機２４に出力されてステップ３０６へ移行する。これによって、後述の浴室用テレビ受像機２４の処理で浴室用テレビ受像機２４の電源を自動的にオフすることができる。
【００６８】
ステップ３０６では、居室用テレビ受像機２２に通信回線１４を介してスタンバイ指示が行われてステップ３０８へ移行する。
【００６９】
ステップ３０８では、居室に人が入室したか否か判定される。該判定は、居室用人感センサ２０によって人の存在を検出したか否かを判定し、該判定が肯定されるまで待機してステップ３１０へ移行する。
【００７０】
ステップ３１０では、居室用テレビ受像機２２の電源オン指示が通信回線１４を介して居室用テレビ受像機２２に出力されてステップ３１２へ移行する。
【００７１】
ステップ３１２では、ステップ３０２で取得した浴室用テレビ受像機２４のチャンネル及び音量設定が居室用テレビ受像機２２に出力されて一連の処理を終了する。これによって後述する居室用テレビ受像機２２における処理で居室用テレビ受像機２２のチャンネル及び音量が浴室用テレビ受像機２４のチャンネル及び音量と同じに設定される。
【００７２】
続いて、居室用テレビ受像機２２で行われる処理の流れについて説明する。図７は、本発明の実施の形態に係わるテレビ受像システム１０の居室用テレビ受像機２２の制御部４４で行われる処理の流れの一例を示すフローチャートである。
【００７３】
まず、ステップ４００では、映像及び音声出力が開始されてステップ４０２へ移行する。すなわち、選局回路４２によって選局された番組の映像が映像回路５０を介してディスプレイ４２に表示されると共に、当該番組の音声が音声回路５４を介してスピーカ５６から出力される。
【００７４】
ステップ４０２では、チャンネル又は音量変更が指示されたか否か判定される。該判定は、居室用テレビ受像機２２に設けられた操作部５８が操作されてチャンネル又は音量変更指示が行われたか否かを判定し、該判定が肯定された場合にはステップ４０４へ移行し、否定された場合にはステップ４０６へ移行する。
【００７５】
ステップ４０４では、指示されたチャンネル又は指示された音量になるように選局回路４２及び音声回路５４が制御されてステップ４０６へ移行する。
【００７６】
ステップ４０６では、チャンネル及び音量取得要求があるか否か判定される。該判定は、コントロールユニット１２から現在のチャンネル及び音量設定の取得（ステップ１０４）が行われたか否かを判定し、該判定が肯定された場合にはステップ４０８へ移行し、否定された場合にはステップ４１０へ移行する。
【００７７】
ステップ４０８では、視聴中のチャンネル及び音量設定が通信回線１４を介してコントロールユニット１２へ送信されてステップ４１０へ移行する。
【００７８】
ステップ４１０では、コントロールユニット１２から電源オフ指示（ステップ１１４）が行われたか否か判定され、該判定が肯定された場合にはステップ４１２へ移行し、否定された場合にはステップ４２４へ移行する。
【００７９】
ステップ４１２では、電源がオフされてステップ４１４へ移行する。
【００８０】
ステップ４１４では、コントロールユニット１２によってスタンバイ指示（ステップ３０６）が行われたか否か判定され、該判定が肯定されるまで待機してステップ４１６へ移行する。
【００８１】
ステップ４１６では、映像及び音声出力が直ぐにできるスタンバイの状態としてステップ４１８へ移行する。
【００８２】
ステップ４１８では、コントロールユニット１２から電源オン指示（ステップ３１０）が行われたか否か判定され、該判定が肯定されるまで待機してステップ４２０へ移行する。
【００８３】
ステップ４２０では、通信回線１４を介してコントロールユニット１２からチャンネル及び音量設定を受信したか否かが判定される。該判定は、上述のステップ３１２によってコントロールユニット１２から浴室用テレビ受像機２４のチャンネル及び音量設定が送信されたか否かを判定し、該判定が肯定されるまで待機してステップ４２２へ移行する。
【００８４】
ステップ４２２では、受信したチャンネル及び音量で映像及び音声出力が開始されてステップ４２４へ移行する。すなわち、浴室で観ていた番組が居室で流れ、かつ浴室で観ていたときの音量で音声が出力される。
【００８５】
ステップ４２４では、電源がオフされたか否か判定され、該判定が否定された場合にはステップ４０２へ戻って上述の処理が繰り返され、判定が肯定された場合にはステップ４２６へ移行して、電源がオフされて一連の処理を終了する。
【００８６】
次に、浴室用テレビ受像機２４で行われる処理の流れについて説明する。図８は、本発明の実施の形態に係わるテレビ受像システム１０の浴室用テレビ受像機２４の制御部４４で行われる処理の流れの一例を示すフローチャートである。
【００８７】
ステップ５００では、コントロールユニット１２によってスタンバイ指示が行われたか否かが判定される。すなわち、上述のステップ１０２によってスタンバイ指示がコントロールユニット１２から出力されたか否かを判定し、該判定が肯定されるまで待機してステップ５０２へ移行する。
【００８８】
ステップ５０２では、映像及び音声出力が直ぐにできるスタンバイの状態としてステップ５０４へ移行する。
【００８９】
ステップ５０４では、コントロールユニット１２によって電源オン指示が行われたか否かが判定される。すなわち、上述のステップ１０８によって電源オン指示がコントロールユニット１２から出力されたか否かを判定し、該判定が肯定されるまで待機してステップ５０６へ移行する。
【００９０】
ステップ５０６では、通信回線１４を介してコントロールユニット１２からチャンネル及び音量設定を受信したか否かが判定される。該判定は、上述のステップ１１０によってコントロールユニット１２から居室用テレビ受像機２２のチャンネル及び音量設定が送信されたか否かを判定し、該判定が否定された場合にはステップ５０８へ移行し、肯定された場合にはステップ５１０へ移行する。なお、当該判定は、所定時間待機して受信がない場合には、判定が否定されるようにしてもよい。
【００９１】
ステップ５０８では、前回の電源オフ前のチャンネル及び音量で映像及び音声出力が開始されてステップ５１２へ移行する。
【００９２】
一方、ステップ５１０では、受信したチャンネル及び音量で映像及び音声出力が開始されてステップ５１２へ移行する。すなわち、居室で観ていた番組が浴室で流れ、かつ居室で観ていたときの音量で音声が出力される。
【００９３】
ステップ５１２では、コントロールユニット１２から音量増加指示があるか否か判定される。該判定は、上述のステップ１２２によってコントロールユニット１２から設備機器に応じた音量増加指示が行われたか否かを判定し、該判定が肯定された場合にはステップ５１４へ移行し、否定された場合にはステップ５１６へ移行する。
【００９４】
ステップ５１４では、音声回路５４が制御されてコントロールユニット１２からの音量増加指示に応じた増加量で音量増加が行われてステップ５１６へ移行する。
【００９５】
ステップ５１６では、コントロールユニット１２から音量低下指示があるか否か判定される。該判定は、上述のステップ１１８によってコントロールユニット１２から設備機器に応じて増加した分の音量低下指示が行われたか否かを判定し、該判定が肯定された場合にはステップ５１８へ移行し、否定された場合にはステップ５２０へ移行する。
【００９６】
ステップ５１８では、音声回路５４が制御されてコントロールユニット１２からの音量低下指示に応じた低下量で音量低下が行われてステップ５２０へ移行する。
【００９７】
ステップ５２０では、チャンネル又は音量変更指示が行われたか否か判定される。該判定は、浴室用テレビ受像機２４の操作部４６によってチャンネル変更指示や音量変更指示が行われたか否かを判定し、該判定が肯定された場合にはステップ５２２へ移行し、判定が否定された場合にはステップ５２４へ移行する。
【００９８】
ステップ５２２では、指示されたチャンネル又は指示された音量になるように選局回路４２及び音声回路５４が制御されてステップ５２４へ移行する。
【００９９】
ステップ５２４では、電源オフが指示されたか否か判定される。該判定は、上述のステップ３０４でコントロールユニット１２によって電源オフが指示されたか否かが判定され、該判定が肯定された場合にはステップ５２６へ移行し、否定された場合にはステップ５３０へ移行する。
【０１００】
ステップ５２６では、チャンネル及び音量取得要求があるか否か判定される。該判定は、コントロールユニット１２から現在のチャンネル及び音量設定の取得（ステップ３０２）が行われたか否かを判定し、該判定が肯定された場合にはステップ５２８へ移行し、否定された場合にはステップ５３２へ移行する。
【０１０１】
一方、ステップ５３０では、電源がオフされたか否か判定され、該判定が否定された場合にはステップ５１２へ戻って上述の処理が繰り返され、判定が肯定された場合にはステップ５３２へ移行して、電源がオフされて一連の処理を終了する。
【０１０２】
すなわち、本実施の形態に係わるテレビ受像システム１０では、居室において居室用テレビ受像機２２を観ていた場合に、お湯張りを指示することによって浴室用テレビ受像機２４がスタンバイされて、浴室へ移動すると、浴室用テレビ受像機２４が居室用テレビ受像機２２で観ていた番組でかつ居室用テレビ受像機２２の音量で映像及び音声が出力開始される。従って、居室で観ていた番組を引き続き浴室で観ることができる。
【０１０３】
また、シャワーや水道を使用した場合には、浴室用テレビ受像機２４の音声が聞き難くなるので、シャワーや水道の使用を検出して、所定量音量を自動的に増加する。すなわち、本実施の形態では、浴槽に浸かって浴室用テレビ受像機２４を観ている状態が基準となり、水道使用時には所定音量増加され、シャワー使用時には所定音量より多い音量増加されるので、快適に浴室でテレビを観ることができる。
【０１０４】
さらに、浴室を退室して居室へ移動した場合には、居室用テレビ受像機２２が浴室用テレビ受像機２４で観ていた番組でかつ浴室用テレビ受像機２４の音量で映像及び音声が出力開始されるので、浴室で観ていた番組を引き続き居室で観ることができる。
【０１０５】
なお、上記の実施の形態では、シャワーや水道の使用を流量センサ３２の検出結果から検出するようにしたが、これに限るものではなく、例えば、カメラを浴室に備えて人の動作を検出することによってシャワーや水道の使用を検出するようにしてもよい。
【０１０６】
また、上記の実施の形態では、流量センサ３２の検出結果に基づいて、浴室用テレビ受像機２４の音量を所定量変更するようにしたが、これに限るものではなく、例えば、流量センサ３２によって検出された流量に応じて、音量を変更するようにしてもよい。
【０１０７】
また、上記の実施の形態では、浴室を退出した場合（ステップ１２６の判定が肯定された場合）に、浴室退出処理にて浴室用テレビ受像機２４の電源オフ指示を行うことによって、浴室用テレビ受像機２４の電源をオフするようにしたが、浴室を退出した場合に、脱衣所用人感センサ２８によって脱衣所に人が居ることが検出されている間は、所定音量増加する指示を浴室用テレビ受像機２４に出力して、脱衣所に人が居なくなったことが検出された場合に電源オフ指示を行ってもよい。すなわち、浴室から脱衣所に人が移動した場合には浴室用テレビ受像機２４の音量を上げるようにして、脱衣所でも音声を聞こえるようにしてもよい。
【０１０８】
また、上記の実施の形態では、居室から浴室、または浴室から居室へ移動する際に、移動元のテレビ受像機のチャンネル及び音量設定を移動先のテレビ受像機のチャンネル及び音量設定とするようにしたが、チャンネル及び音量設定を共に行わずに、チャンネルまたは音量設定のみを行うようにしてもよい。
【０１０９】
また、上記の実施の形態では、居室用テレビ受像機２２及び浴室用テレビ受像機２４とは、別にコントロールユニット１２を設けた構成としたが、これに限るものではなく、ッコントロールユニット１２の機能を居室用テレビ受像機２２に設けるようにしてもよいし、浴室用テレビ受像機２４に設けるようにしてもい。
【０１１０】
さらに、上記の実施の形態では、選局中のチャンネル及び音量を外部へ通知するために居室用テレビ受像機２２及び浴室用テレビ受像機２４のそれぞれに制御部４４を設けるようにしたが、選局中のチャンネル及び音量を検出する方法としてはこれに限るものではなく、例えば、テレビ受像機に対してチャンネル表示や音量レベル表示等を指示する機能と、指示されることによってディスプレイに表示されたチャンネルや音量レベルをカメラ等によって撮影して認識する機能を別の装置やコントロールユニット１２に設けるようにしてもよい。
【符号の説明】
【０１１１】
１０    テレビ受像システム
１２    コントロールユニット
２０    居室用人感センサ
２２    居室用テレビ受像機
２４    浴室用テレビ受像機
２６    浴室用人感センサ
２８    脱衣所用人感センサ
３０    シャワー／蛇口切替検出センサ
３２    流量センサ
４２    選局回路
４４    制御部
５４    音声回路
【図１】
2010206372.tif 000003
【図２】
2010206372.tif 000004
【図３】
2010206372.tif 000005
【図４】
2010206372.tif 000006
【図５】
2010206372.tif 000007
【図６】
2010206372.tif 000008
【図７】
2010206372.tif 000009
【図８】
2010206372.tif 000010